(57)【要約】【課題】浴槽に満たされたお湯は、風呂釜の火を消したときから冷め始めるが、更に風呂釜が冷えることで、沸かしたときとは逆の対流が生じ、浴槽と風呂釜の間を循環して、冷たく冷えた水が下の吸水口から浴槽に流れ込み、入浴中であっても、吸水口の近くに置いた足が冷えると言うことさえもあるので、吸水口から冷たい水が出てくるのを防ぐ必要がある。【解決手段】冷えた水が下の吸水口から浴槽に流れ込むのを止めるために、下の吸水口にカバーを付ける。  そのカバーに風呂釜の温度変化によって起きる対流を利用して、風呂釜側に開閉する複数枚の羽根を付ける事で、風呂釜が冷えたときに生じる風呂釜から浴槽へ流れ込む冷たい水流を遮断する。【選択図】図５
2006320522.tif 000002
【特許請求の範囲】
【請求項１】
浴槽下部にある風呂釜への、吸水口に付けるカバー。円筒の一面にゴミ除け用の網、その中に風呂釜の温度変化によって生じる対流を利用して、風呂釜側に開閉する複数枚の羽根を付けた吸水口カバー。羽根の縦に切った断面は風呂釜側が直線、浴槽側の一部に曲線を有する形で、羽根を平面的に見た場合は下から上に、一部分を重なり合わせて、上部の一部が欠けた円を形成する。浴槽側の吸水口に付ける円筒（本体）を浴槽の吸水口にぴったりと付けるために、円筒に弾力性のある蛇腹の円筒を付け、更に円筒の上部に一本の棒を付けて、その先端に板バネを付けた、湯冷め防止用の吸水口カバー。
【請求項２】
請求項１の羽根の向きを逆にし、浴槽側に開くようにした、浴槽内、上の吸水口に付ける吸水口カバー
【請求項３】
請求項１，請求項２で使用している羽根を、風呂釜を製作する時点で浴槽と風呂釜を繋ぐ、吸水口の内部に設けた湯冷め防止弁を付けた風呂釜。
【発明の詳細な説明】
【技術分野】
【０００１】
本発明は風呂釜で沸かした浴槽のお湯が冷めるのを止める為の吸水口カバーに関する。  
【背景技術】
【０００２】
従来、風呂釜で沸かし、浴槽に満たされたお湯は、風呂釜の火を消したときから冷め始めるが、更に風呂釜自体が冷えることで、浴槽内のお湯は、沸かしたときとは逆の対流が生じて、浴槽と風呂釜の間を循環し、冷たく冷えた水が下の吸水口から浴槽に流れ込む。追い炊きをするか、浴槽内のお湯が冷えるのを加速するに任せているのが一般的である。
【０００３】
湯冷め防止用の為には過去、幾つかの出願（例えば特許文献１から５参照）がされている。
【０００４】
【特許文献１】特許公開２００２−６５４８８
【特許文献２】登録実用新案３００７６０７号
【特許文献３】登録実用新案３０３０１０７号
【特許文献４】実用新案公開平５−７９３５０
【特許文献５】特許公開２００３−３７０７２０
【発明の開示】
【発明が解決しようとする課題】
【０００５】
最近の風呂事情としては、給湯式の風呂が多くなったが、家族が多い場合など追い炊き出来るタイプの風呂が必要である。
【０００６】
しかし、追い炊きのために風呂釜の付いた風呂は、風呂釜が冷えることで、浴槽内のお湯が冷えるのを早めてしまうのだ。
【０００７】
冷たく冷えた水が下の吸水口から浴槽に流れ込み、上部は温かいお湯なのに、浴槽に入ったら下部が水に近いほど冷えている時があり、入浴中であっても、吸水口の近くに置いた足が冷えると言うことさえもあるので、吸水口から冷たい水が出てくるのを防ぐ必要がある。
【課題を解決するための手段】
【０００８】
冷えた水が下の吸水口から浴槽に流れ込むのを止めるために、下の吸水口にカバーを付ける。
【０００９】
そのカバーには風呂釜の温度変化によって起きる対流を利用して、風呂釜側に開閉する複数枚の羽根を付ける。
【００１０】
羽根は本体の筒に水平に配した複数本の軸棒に通して有り、羽根に開けた穴は中に軸を通すために余裕のある大きさで、軸に対しての回転運動は自由に出来る。閉じた状態においては、部分的に重なり合って、上部の一部が欠けた円を形成し、水流を遮断する。
【００１１】
羽根をつけた円筒を浴槽の吸水口にぴったりと付けるために、円筒に弾力性のある蛇腹の円筒を付け、更に円筒の上部に一本の棒を付けて、その先端に板バネを付ける事で簡単に取り付けることが出来、湯冷めを防止する。
【発明の効果】
【００１２】
風呂釜が冷える事で、生じる対流を遮断することは、浴槽のお湯が急速に冷えてしまうのを防ぎ、エネルギーの節約にもなる。
【発明の実施をするための最良の形態】
【００１３】
以下、本発明の実態を図１から図６に基づいて説明する。
【００１４】
図１は浴槽側から見た図である。本体（符号１）の直径は装着する吸水口の経よりも大きい物とし、本カバーを通す事で、水量が変化しない物とする。筒の中にはゴミなどが風呂釜に入るのを防ぐ為の網（符号３）があり、更にその網を透して（符号４）の羽根が見えている。本体（符号１）の外側の一回り大きい円が本体を浴槽の吸水口に隙間無く付けるために配した蛇腹状の円筒（符号２）である。浴槽に付けるときの方向はＢを上に、Ｃを下にする。
【００１５】
図２は全体を横から見た図で左側に見える（符号１）（符号２）は浴槽の内側（符号５）（符号６）は吸水口の中に入る部分である。
【００１６】
図３は図２においてのＤ−Ｄの断面図で本体の内側を見た図である。外側の蛇腹（符号２）の円筒の奥に本体（符号１）が見える。円筒上部の一部が本体となり、上部には本体を浴槽への付け外しが簡単に行える為の、板バネ（符号６）を付けるための棒（符号５）がある。      
【００１７】
吸水口の直径は、風呂釜のメーカーによってサイズも違う、どのサイズの吸水口にも合うように、本体の直径を一番大きな吸水口よりも大きくするが、サイズの合わない本体を、しっかりと吸水口に装着するために配したのが、本体に付けた棒（符号５）で接続されている板バネ（符号６）です。板バネ（符号６）は吸水口に筒状に丸めて入れ、中で開くことで機能する。
【００１８】
図３の筒の中には水平に配した複数枚の羽根（符号４）がある。羽根（符号４）の長さと枚数は本体（符号１）の円筒の大きさと厚みによる。羽根（符号４）は、本体（符号１）の一部となる上部をのぞき、重なり合って円を形成し本体（符号１）の中に隙間のない弁を形成する。
【００１９】
図４は図１におけるＡ−Ａの断面図を下（符号Ｃ）から見た図で、板バネ（符号６）は吸水口の円周の半分以上の長さを有する。
【００２０】
図５は図１におけるＢ−Ｃの断面図を横から見た物である。筒（符号１）の中に複数枚の羽根が見える。羽根は一番下に配した羽根に上の羽根の一部が重なり、更にその上に、その上にと重なり合う事で水の逆流を防ぐ。
【００２１】
図６は羽根（符号４）の断面図である。羽根には（符号８）の穴があり、その中に（符号７）の軸棒がとおる。羽根は軸棒を中心に自由に動くが対流が発生しない時には、自らの重さで下がり、弁は閉じた状態となる。
【００２２】
羽根の片面には緩やかなカーブがあるために飛行機の翼の様に、風呂釜に火がついての対流に対して、羽根は開く易く、逆の対流に対しては直線の面でとらえるので開く事が容易ではない。羽根に使う素材は熱伝導率の低い物とする。
【図面の簡単な説明】
【００２３】
【図１】正面（浴槽側）から見た外観図
【図２】横から見た外観図
【図３】図２におけるＤ−Ｄの断面図（円筒の内側）
【図４】図１におけるＡ−Ａの切断面をＣ方向から見た図
【図５】図１におけるＢ−Ｃの切断面をＡから見た図
【図６】羽根の切断面
【符号の説明】
【００２４】
１，      筒（本体）
２，      蛇腹状の筒
３，      ゴミ除け用の網
４，      羽根
５，      板バネ
６，      羽根の軸となる棒
７，      羽根に開けた穴
Ｂ、  上
Ｃ、  下
【図１】
2006320522.tif 000003
【図２】
2006320522.tif 000004
【図３】
2006320522.tif 000005
【図４】
2006320522.tif 000006
【図５】
2006320522.tif 000007
【図６】
2006320522.tif 000008